(57)【要約】【課題】従来の技術としては、構造上、片手で簡単に音を出すことはできるが、それ以外の応援方法等はできないものである。【解決手段】２枚の打板の一方の打板の下部に凸部を設け、もう一方の打板の下部に凹部を設け、凸部と凹部で連結部を構成してなる応援グッズにおいて、一方の打板を柔らかく、もう一方の打板を硬くしてなる。【選択図】図１
2016041232.tif 000002
【特許請求の範囲】
【請求項１】
２枚の打板の一方の打板の下部に凸部を設け、もう一方の打板の下部に凹部を設け、凸部と凹部で着脱自在な連結部を構成してなる応援グッズにおいて、一方の打板を柔らかく、もう一方の打板を硬くしてなることを特徴とする応援グッズ。
【請求項２】
一方の打板の材質がエラストマーで、もう一方の打板の材質がポリプロピレンであることを特徴とする請求項１記載の応援グッズ。
【請求項３】
連結した状態で２枚の打板を重合させ振ることにより、音を発生させることを特徴とする請求項１又は２記載の応援グッズ。
【請求項４】
どちらか一方の打板を連結部より取り外し、別の打板と交換できることを特徴とする請求項１、２又は３記載の応援グッズ。
【請求項５】
打板が、しゃもじ形またはうちわ形をしてなることを特徴とする請求項１、２、３又は４記載の応援グッズ。
【発明の詳細な説明】
【技術分野】
【０００１】  本発明は、野球等スポーツ観戦に使用する応援グッズに関するものである。
【背景技術】
【０００２】  従来の技術として、各打片の中央部に緩やかに突出した山部を設け、一方の打片に設けた山部と他方の打片に設けた山部とは、隙間を形成し、両打片の外表面部は、平面部が形成され、各打片の後方は一体化された保持部を形成したことを特徴とする応援グッズがある。（特許文献１参照）【０００３】  また、別の従来技術として、略四角枠状の本体部と、該本体部に固定されたシート状の音発生部材と、を備えて構成され、該本体部は、一対の左右枠部と、一対の上下枠部と、該下枠部から該外側方向に延びる柄部と、を備え、該音発生部材は、該左右枠部及び該上下枠部で構成される平面を略直交方向に出入りする、振動運動可能な可撓性を有したシート材からなり、弛みを有するように該左右枠部に端部を接合され、該上下枠部に対して隙間を有して装着され、該音発生部材の該上枠側の端部の該弛みガ、該音発生部材の該下枠側の端部の該弛みより大きいことを特徴とする音出し用応援グッズがある。（特許文献２参照）
【先行技術文献】
【特許文献】
【０００４】
【特許文献１】  実用新案登録第３１４３５８１号公報
【特許文献２】  実用新案登録第３１５４２５９号公報
【発明の概要】
【発明が解決しようとする課題】
【０００５】  上記前者の場合、その構造上、片手で簡単に音を出すことはできるが、パーツの交換等はできないものである。【０００６】  また、上記後者の場合は、音は出るもので、主な特徴は投げても遠くへ飛ばないものであり、本発明のような機能・効果は有していない。【０００７】  本発明は、このような従来の構成が有していた問題を解決しようとするものであり、単に振ることにより、音を発生し、どちらか一方の打板を交換でき音質を変えることのできる応援グッズを提供することを目的とする。
【課題を解決するための手段】
【０００８】  本発明は、上記目的を達成するため、２枚の打板の一方の打板の下部に凸部を設け、もう一方の打板の下部に凹部を設け、凸部と凹部で着脱自在な連結部を構成してなる応援グッズにおいて、一方の打板を柔らかく、もう一方の打板を硬くしてなること。一方の打板の材質がエラストマーで、もう一方の打板の材質がポリプロピレンであること。連結した状態で２枚の打板を重合させ振ることにより、音を発生させること。どちらか一方の打板を連結部より取り外し、別の打板と交換できること。打板がしゃもじ形またはうちわ形をしてなることを特徴とする。
【発明の効果】
【０００９】１）、一方の打板を柔らかく（エラストマー）し、もう一方の打板を硬く（ポリプロピレン）することにより、軽く振るだけで、柔らかい打板がしなり、反力で硬い打板に当り、音を出すことができる。
２）、別の打板に取り替えることができ、色々な音を出すことができる。
【図面の簡単な説明】
【００１０】
【図１】  本発明の応援グッズの打板を分離した状態を示す正面図。
【図２】  本発明の応援グッズの打板を分離した状態を示す連結部の拡大断面図。
【図３】  本発明の応援グッズの凸部と凹部を差し込んだ状態を示す正面図。
【図４】  本発明の応援グッズの凸部と凹部を差し込んだ状態を示す連結状態拡大図。
【図５】  本発明の応援グッズの打板を重合させた状態を示す正面図。
【図６】  本発明の応援グッズの打板を重合させた状態を示す連結状態拡大図。
【図７】  本発明の応援グッズの打板を重合させた状態を示す側面図。
【図８】  本発明の応援グッズの一例を示す応援状態図。
【発明を実施するための形態】
【００１１】応援グッズ１は、しゃもじ形またはうちわ形に形成した２枚の打板２・３の下部に、凸部４ａと凹部４ｂからなる連結部４を設けると共に、ひも５を設けてある。
なお、一方の打板２の材質を柔らかいエラストマーとし、もう一方の打板３の材質を硬いポリプロピレンとする。
また、凸部４ａは、上部に係止片４ａ１を形設してある。
さらに、凹部４ｂは、貫通孔４ｂ１と係止溝４ｂ２とから構成される。（図１・図２参照）
【００１２】  上記応援グッズ１の連結部の連結手順について説明する。
まず、打板２と打板３の角度Ｋを９０°とし、凸部４ａを凹部４ｂの貫通孔４ｂ１より挿入し、回転させることにより、係止固定するものである。（図３・図４参照）
【００１３】  応援グッズ１の打板２・３を重合させる場合は、打板２と打板３の角度を０°にすればよく、この時係止片４ａ１が係止溝４ｂ２の中央に位置するものである。（図５・図６参照）
なお、重合した時、打板２と打板３は先端部が反るように形成（反らなくてもよい）するのが望ましく、適度な空間部ＫＫを形成する。（図７参照）
【００１４】  つぎに、応援グッズ１を使用しての応援例について説明する。
上記の状態で上下左右に振ることにより、柔らかい打板２が湾曲し、つづいて打板２が戻る（反力）ことにより硬い打板３に当り、音を出すものである。（図７参照）
よって、少ない力でも打板２の反力により大きな音を発生できる。
【００１５】  上記実施例において、材質はプラスチック製とするが、特に限定するものではなく、大きさ等においても同様である。
また、連結部においても同様な機能対応であれば、多少の形態変更はかまわない。
さらに、打板２・３の表や裏に例えば、必勝の文字を印刷したシールを貼り付け、打板２・３を適宜開いて文字を見せて応援することもできる。
さらにまた、別の打板３（図示せず）として、鈴を付けたり、カスタネットを付設したり、色々考えられる。
【符号の説明】
【００１６】１―――応援グッズ
２―――打板
３―――打板
４―――連結部
【図１】
2016041232.tif 000003
【図２】
2016041232.tif 000004
【図３】
2016041232.tif 000005
【図４】
2016041232.tif 000006
【図５】
2016041232.tif 000007
【図６】
2016041232.tif 000008
【図７】
2016041232.tif 000009
【図８】
2016041232.tif 000010